【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
履物の内側および外側の少なくとも一方に沿って延びるマトリックス構造を含み、マトリックス構造が、互いにクロスして複数の交差部および孔を規定する複数のセグメントとして形成される単体ポリマー要素を含み、孔の少なくとも一部が、2つの鋭角と2つの鈍角とを含む実質的に四辺形の形状を規定し、かつマトリックス構造が足の動きおよび足の寸法の差に適応するように伸縮可能である、アッパー（upper）と、
アッパーに固定されたソール構造とを含む、履物製品。
【請求項２】
第1の縁部および反対側の第2の縁部を規定するマトリックス構造を含み、マトリックス構造が、第1の縁部と第2の縁部の間を延びる複数の細長いセグメントとして形成される単体ポリマー要素を含み、セグメントが複数の交差部および孔を規定し、交差部は、2つのセグメントが互いにクロスする地点であり、孔は、セグメント同士の間の領域であり、孔の少なくとも一部が、2つの鋭角と2つの鈍角とを含む実質的に四辺形の形状を規定し、かつマトリックス構造が足の動きおよび足の寸法の差に適応するように伸縮可能である、アッパーと、
アッパーに固定されたソール構造とを含む、履物製品。
【請求項３】
セグメントの少なくとも一部が湾曲した構成を呈する、請求項1または2記載の履物製品。
【請求項４】
マトリックス構造の縁部がアッパーのスロート（throat）領域を規定し、スロート領域に隣接して位置する孔を通してレース（lace）が延びている、請求項1記載の履物製品。
【請求項５】
マトリックス構造の縁部がアッパーの足首開口部を規定し、足首開口部に隣接して位置する孔を通してコード（cord）が延びている、請求項4記載の履物製品。
【請求項６】
マトリックス構造の縁部対が、履物の足首領域を通過して鉛直に延び、かつ互いに隣接して位置し、縁部対を互いに接合するように縁部対に隣接して位置する孔を通してコードが延びている、請求項1記載の履物製品。
【請求項７】
孔の面積がセグメントの面積よりも大きい、請求項1または2記載の履物製品。
【請求項８】
セグメントの面積と孔の面積の比がマトリックス構造全体にわたって変化し、履物の足中部（midfoot）領域での該比が、履物の足前部（forefoot）領域および踵領域での該比よりも高い、請求項1または2記載の履物製品。
【請求項９】
孔を二分するように孔を通して接続要素が延びており、接続要素が孔の鈍角の間を延びている、請求項1または2記載の履物製品。
【請求項１０】
マトリックス構造と同一の広がりをもつ別のマトリックス構造を含む、請求項1または2記載の履物製品。
【請求項１１】
マトリックス構造が、マトリックス構造の第1の縁部上に配置されたループを規定する、請求項1記載の履物製品。
【請求項１２】
マトリックス構造がU字構成を有する、請求項2記載の履物製品。
【請求項１３】
マトリックス構造のU字構成が、中央領域と中央領域から延びる側面領域対とを有し、中央領域が履物の足前部領域内に位置し、側面領域対が、履物の足中部領域および踵領域を通過して延びるように位置する、請求項12記載の履物製品。
【請求項１４】
側面領域対の端部が、踵領域内で共に接合される、請求項13記載の履物製品。
【請求項１５】
第1の縁部にラスティング（lasting）要素が固定され、ラスティング要素が、マトリックス構造をソール構造に接合するように第1の縁部の少なくとも一部に沿って延びている、請求項2記載の履物製品。
【請求項１６】
ラスティング要素が、マトリックス構造の材料とは異なる材料から形成される、請求項15記載の履物製品。
【請求項１７】
ラスティング要素が繊維製品材料から形成される、請求項15記載の履物製品。
【請求項１８】
第1の縁部がソール構造に隣接して位置し、かつ第2の縁部がアッパーのスロート領域および足首開口部を規定する、請求項2記載の履物製品。
【請求項１９】
スロート領域に隣接して位置する孔を通してレースが延びている、請求項18記載の履物製品。
【請求項２０】
セグメントの、第2の縁部に隣接して位置する端部が、複数の開口部を規定し、コードが、該開口部を通ってスロート領域および足首開口部の周りを延びている、請求項18記載の履物製品。
【請求項２１】
マトリックス構造が、第1の縁部と第2の縁部の間を延びる第3の縁部対を含み、第3の縁部がアッパーの踵領域内に位置し、コードが第3の縁部同士を互いに接合する、請求項20記載の履物製品。
【請求項２２】
ソール構造が第1の長さを有し、第2の履物製品が、第2の長さを有するソール構造を有し、第1の長さが第2の長さよりも短く、履物製品のマトリックス構造および第2の履物製品のマトリックス構造が実質的に同一の寸法を有し、第2の履物製品のマトリックス構造が、第2の履物製品のソール構造に適合するように第1の縁部および第2の縁部に対して平行な方向に伸ばされる、請求項2記載の履物製品。
【請求項２３】
履物の足前部領域内の鋭角が、履物の足中部領域内の鋭角よりも小さい、請求項2記載の履物製品。
【請求項２４】
マトリックス構造が、マトリックス構造の第1の縁部上に配置されたループを規定する、請求項2記載の履物製品。
【請求項２５】
ループがコードを受け入れる、請求項11または24記載の履物製品。
【請求項２６】
少なくとも1つのループの一部が、マトリックス層の残りの部分の平面に対して回転される、請求項11または24記載の履物製品。
【手続補正２】
【補正対象書類名】明細書
【補正対象項目名】００３５
【補正方法】変更
【補正の内容】
【００３５】
履物10を製造するプロセスにおけるさらなる段階を図7Dに示す。ここでは、レース25およびストロベル（strobel：登録商標）ソック29をマトリックス層40に接合する。コード27がループ45を通して延びると、少なくともスロート24において様々なセグメント41とコード27の間に孔が形成され、これらの孔にレース25を通すことができる。したがって、レース25を、スロート24を横切ってジグザグパターンを描いて延びるようにアッパー20に組み込むことができる。ストロベルソック29は、アッパー20内の空隙の下面を形成する。上述のように、ラスティング要素28を縁部44aに接合する。ストロベルソック29をマトリックス層40に接合する際、ストロベルソック29をラスティング要素28に縫い付けるか、接着剤で結合するか、またはそうでなければ接合することができる。次に、ソール構造30をアッパー20に接合して履物10の製造を事実上完了する。さらに、この時点で爪先要素49を組み込むことができる。いくつかの態様では、マトリックス層40またはラスティング要素28の一部をソール構造30に機械的に接合する密着構成を利用することができる。さらに、マトリックス層20が足前部領域11または踵領域13の周りを延びる領域では、図7Dに示されているようにラスティング要素28をまとめてこれらの領域におけるアッパー20の丸められた構成を容易にすることができる。すなわち、ラスティング要素28は、製造プロセス時にマトリックス層40をまとめるのを容易にする。
【手続補正３】
【補正対象書類名】明細書
【補正対象項目名】００４８
【補正方法】変更
【補正の内容】
【００４８】
アッパー20とライナー70の間の顕著な移動を防止するために、ライナー70の下面に固定具73を組み込んでよく、アッパー20の内部に対応する固定具を組み込んでよい。たとえば、固定具73がフック・ループ固定システムのフック部である場合、ループ部をアッパー20内に位置させることができる。固定具73は、ライナー70の下面およびアッパー20内の空隙の下面上に配置された、ネオプレン（登録商標）などの非滑り材料であってもよい。ライナー70をアッパー20内に配置すると、固定具73は、アッパー20に対するライナー70のさらなる移動を効果的に制限し、それによって足をしっかりと位置決めする。固定具73のフック・ループ固定システムの代わりに、たとえばスナップ、ボタン、および接着剤を含む他の種類の固定システムを利用することができる。さらに、固定具73の位置は、側面および裏面を含む、ライナー70の下面以外の位置を含む様々な位置のいずれであってもよい。したがって、固定具の種類および位置は様々であってよい。